Podtech/llm-jp-corpus-v4-ja_patent huggingface dataset:
(57)【要約】      （修正有）【課題】本考案は、月間予定を管理する手帳において、常に本日から１５日以上先の予定を、ページをめくらずに一覧することができ、かつ携帯時には４分の１のサイズに折りたたむことができる折りたたみ式手帳を提供する。【解決手段】本考案の手帳は１日から１５日までを管理する冊子１と、１６日から３１日までを管理する冊子２の２冊を、裏表紙５、６にそれぞれ固定したものである。冊子１と冊子２は別々に開くことができ、ページを組み合わせることで、常に本日から１５日以上先の予定を一覧可能であり、且つ、表紙３、４、裏表紙５、６についた折り目部７、８により、左右山折り、上下谷折りに折ることにより、持ち運び時には４分の１のサイズになる。【選択図】図１
0003205357.tif 000002
【実用新案登録請求の範囲】
【請求項１】
月間予定を管理するために使用される手帳において、１日から１５日の予定を管理する冊子と、１６日から３１日の予定を管理する冊子の２冊を設け、裏表紙に並べて固定することにより、常に１５日以上先の予定を一覧することができるとともに、表紙、裏表紙の折れ目部によって、左右、上下に折りたためることを特徴とする、折りたたみ式手帳。
【考案の詳細な説明】
【技術分野】
【０００１】
本考案は、月ごとのスケジュールを管理する折りたたみ式の手帳に関するものである。
【背景技術】
【０００２】
１週間以上の予定を管理する場合、多くの手帳は見開き２ページで予定を記入する。手帳のサイズが大きいものは、記入しやすい。サイズの小さいものは、携帯に便利である。
【先行技術文献】
【特許文献】
【０００３】
【特許文献１】実用新案登録第３１７１８６１号公報
【考案の概要】
【考案が解決しようとする課題】
【０００４】
月間予定を管理する見開き２ページの手帳は、本月の終わりに近づくと、本月の予定と翌月の予定を一度に確認するためにはページをめくる必要があり、ページをめくらずに一覧することができない。また大きなサイズの手帳は記入がしやすい反面、携帯するには不便である。従って本考案は、本日から常に１５日以上先の予定を、月をまたいでも一覧可能であり、且つ、携帯時には折りたためて小さくなる手帳を提供することにより、前述の欠点を解決しようとするものである。
【課題を解決するための手段】
【０００５】
本考案は、１日から１５日までの予定を管理する冊子と、１６日から３１日までの予定を管理する冊子を、裏表紙に並べて固定することにより、常に本日から１５日以上先の予定を一覧することを可能にし、且つ、表紙と裏表紙に折り目部をつけ、左右、上下に折りたたむことにより、問題点を解決している。
【考案の効果】
【０００６】
本考案の手帳は、常に本日から１５日以上先の予定を一覧可能であるため、月をまたいだ予定の確認も容易にできる。また折りたたむことにより、手帳のサイズが小さくなり、携帯に役立つ。これらのことにより、商談等のスケジュールを全体の日程を把握しながら管理することができ、ビジネスチャンスを活かすことができる。
【図面の簡単な説明】
【０００７】
【図１】本考案の手帳の見開き図である。
【図２】本手帳の見開き図に、使用する月の月名と、その月に対応する曜日名を利用者が記入した図である。
【図３】本手帳の左右の折りたたみ時の図である。
【図４】本手帳の左右、上下の折りたたみ時の図である。
【考案を実施するための形態】
【０００８】
手帳は１日から１５日までの予定を管理する冊子、１６日から３１日までの予定を管理する冊子、折りたたむことができる表紙と裏表紙によって構成されている。裏表紙の上部に１日から１５日の冊子が、下部に１６日から３１日の冊子が固定されている。このことにより、本日が１日から１５日までは、上部、下部の冊子ともに本月のページを開くことで、また１６日以降は、下部の１６日から３１日までの冊子は本月のページを、上部の１日から１５日までの冊子は翌月のページを開くことで、常に１５日以上先の予定を一覧できる。また表紙は、左右、上下に折りたたむことができるため、持ち運び時には記入時の４分の１のサイズまで小さくなる。
【実施例】
【０００９】
以下、添付図面に従って一実施例を説明する。図１の冊子１は１日から１５日までの予定を管理、冊子２は１６日から３１日までの予定を管理するもので、１には１日から１５日、２には１６日から３１日の日付があらかじめ印刷されている。図２は月名とその月の曜日名を利用者が記入したもので、利用者は手帳を使いたい月からを利用することができる。本日が３月１日の場合、１、２ともに３月のページを開く。本日が３月１６日の場合、２は３月１６日から３１日までのページ、１は翌月の４月１日から１５日のページを開く。従って本日から常に１５日以上先の予定を、ページをめくらずに一覧できる。
【００１０】
３、４は表紙、５、６は裏表紙で、３と４の間には隙間がある。冊子１、２はそれぞれ５、６に固定されている。３と５、５と６、４と６は折り目部７または８によって接続されており、それぞれ折りたたむことができる。予定を記入、確認する時には図２のように折り目部７、８は開いている。持ち運ぶ時には、３と５、４と６を折り目部７で谷折りにし、図３の状態にする。そして５と６を折り目部８で山折りにして、図４の状態にする。
【符号の説明】
【００１１】
１  １日から１５日までの予定を管理する冊子
２  １６日から３１日までの予定を管理する冊子
３  表紙
４  表紙
５  裏表紙
６  裏表紙
７  折り目部
８  折り目部
【図１】
0003205357.tif 000003
【図２】
0003205357.tif 000004
【図３】
0003205357.tif 000005
【図４】
0003205357.tif 000006
(57)【要約】      （修正有）【課題】咽喉に詰まらせることの恐れがない安全な容器入りこんにゃくゼリーを提供する。【解決手段】容器３と、容器３を密封するフタ４と、容器３に収容する複数のこんにゃくゼリー１、１と、容器３内の隙間を充填するシロップ２と、を備え、こんにゃくゼリー１、１は小粒からなる。【選択図】図１
0003205440.tif 000002
【実用新案登録請求の範囲】
【請求項１】
容器と、前記容器を密封するフタと、前記容器に収容する複数のこんにゃくゼリーと、前記容器内の隙間を充填するシロップと、を備え、前記こんにゃくゼリーは小粒からなることを特徴とする容器入りこんにゃくゼリー。
【請求項２】
容器及び／又はこんにゃくゼリーは、平面視を三角形、四角形、星形、菱形、ハート形、円形、動物を模したもの等の任意形状からなる立体形状であることを特徴とする請求項１記載の容器入りこんにゃくゼリー。
【考案の詳細な説明】
【技術分野】
【０００１】  本考案は、のど詰まりを防止する容器入りこんにゃくゼリーに関する。
【背景技術】
【０００２】  食物繊維の摂取による生体機能の改善を促進する観点から、こんにゃく由来の食物繊維をゲル状にした菓子（以下、こんにゃくゼリーという）が製造され、その食感や風味も相まって、気軽に食すことができ広く親しまれている。
【考案の概要】
【考案が解決しようとする課題】
【０００３】  しかしながら、こんにゃくゼリーは、弾力性あり、噛み切ることが難しいため、噛む力の弱い幼児、子供、高齢者など、そのままこんにゃくゼリーを飲み込もうとして噛喉に詰まってしまい、窒息する恐れがあった。
【課題を解決するための手段】
【０００４】  本考案は、上記課題を解決するため、容器と、前記容器を密封するフタと、前記容器に収容する複数のこんにゃくゼリーと、前記容器内の隙間を充填するシロップと、を備え、前記こんにゃくゼリーは小粒からなることを特徴とする容器入りこんにゃくゼリーを提供する。【０００５】  また、容器及び／又はこんにゃくゼリーは、平面視を三角形、四角形、星形、菱形、ハート形、円形、動物を模したもの等の任意形状からなる立体形状であることが好ましい。【０００６】  請求項１、２に記載の考案により、小粒のこんにゃくゼリーであり、噛み切らずとも飲み込めることができるため、噛む力の弱い幼児、子供、高齢者でも食べやすく、咽喉に詰まらせる恐れがなくなった。また、シロップを容器内に充填し、かつ、フタで密封することで容器内に空気を無く、カビが生えることを防止するとともに、シロップの風味によってこんにゃくゼリーの風味をより豊かにすることが可能である。
【図面の簡単な説明】
【０００７】
【図１】本考案の実施形態に係る一例として、（ａ）容器の底が平面視から見て長方形状の容器の場合と、（ｂ）容器の底が平面視から見てハート形状の容器の場合と、を示す斜視図である。
【考案を実施するための形態】
【０００８】  本考案の実施の形態を図面にしたがって詳細に説明する。
【０００９】（実施形態）
容器入りこんにゃくゼリーは、図１（ａ）に示すように、容器３と、容器３内を充填するシロップ２と、容器３内に収容される複数の小粒のこんにゃくゼリー１と、容器３を密封するフタ４と、を主要部として構成されるものである。
【００１０】  このこんにゃくゼリー１は、あらかじめ塊状のこんにゃくゼリーを、小粒となる直径や高さ５〜１０ｍｍ程度からなる立体形状になるように、切削もしくはカップなどの押型で成形加工する。これによって、こんにゃくゼリー最大でも１０ｍｍ程度であるため、噛み切らずとも飲み込むことができ、咽喉に詰まらせる恐れがなく、噛む力が弱い幼児、子供、高齢者などでも、安全にこんにゃくゼリーを食すことが可能である。なお、このこんにゃくゼリー１は、小さいため、つまようじ５を用いて食すことが好ましい。
【００１１】  さらに、このこんにゃくゼリー１は、三角形、四角形、星形、菱形、ハート形、円形、動物を模したもの等の立体形状でもよく、容器も同様の立体形状を模したものでよく、さまざまな形状のもの組み合わせることで、風味だけでなく、視覚的にも楽しませることが可能である。
【００１２】  また、シロップ２を容器３内に充填し、かつ、フタ４で、容器３内を密封することで容器３内に空気を無くし、カビが生えることを防止するとともに、適宜にシロップ３に風味を添加させることで、こんにゃくゼリー１の風味をより豊かにすることが可能である。
【符号の説明】
【００１３】  １…こんにゃくゼリー、２…シロップ、３…容器、４…フタ、５…つまようじ
【図１】
0003205440.tif 000003
(57)【要約】      （修正有）【課題】夜間の空中における動く光のシーンを華やかに彩り、娯楽性とスポーツ性を兼ね備えた落下羽根つき光彩玩具を提供する。【解決手段】従来から存在する竹とんぼや羽子板、紙飛行機等空中を飛翔する飛行体の下部に、電源スイッチ２、電池収納部３、及びＬＥＤ発光体４を装着し、浮揚羽根部と摘み部８を設けて構成される。落下羽根つきＬＥＤ光彩玩具は、老若男女を問わず簡便且つ安全に光の美しい動きを仰ぎ見ることが出来、リゾート地やお祭りの場においての利用度が高まる。【選択図】図１
0003205430.tif 000002
【実用新案登録請求の範囲】
【請求項１】
弾性ゴムの伸縮力を動力源とする竹とんぼ又は羽子板羽根に似た形状の小型飛翔物に、小型軽量のＬＥＤランプを取り付け、落下時のカラフルな光の輝きが楽しめる玩具の商品製造に関する技術。
【考案の詳細な説明】
【技術分野】
【０００１】  本考案は、玩具の中でも比較的にスポーツ性のある分野に、ファッションと驚きを誘う要素を取り入れ、更に老若男女を問わずに楽しめる簡便な玩具を提供する技術に関する。
【背景技術】
【０００２】  従来存在する空中を飛翔する娯楽性の強い玩具は、竹とんぼを始めとして手製グライダー、ブーメラン、紙飛行機等が挙げられる。
これ等の飛翔物体には発光体が付属して夜の時間帯において夜空を光で彩る機能を具備する物は無かった。
【考案の開示】
【考案が解決しようとする課題】
【０００３】  解決しようとする課題点は、トンボ（竹とんぼの代名詞として称す）本体に発光体を如何にして取り付ける事が可能であるかという点である。
更には発光体の重さを適度に加減し、滞空時間を最大限に長く保つことに配慮することを要す。
【課題を解決するための手段】
【０００４】  トンボ本体軸部の底部より１０ミリ程度上の部分にＬＥＤ発光装置装着の機構を施し、落下時の重心安定を図ることとする。
浮力を付ける為の羽根の構造について考慮すれば、先ず２枚羽の場合には片面の長さを概ね１０ｃｍ、幅を２０ｍｍ程度に設定する。
滞空時間を出来るだけ長く保つには、羽根の枚数を３〜５枚程度に増やす事も可能であるが、商品化のコストを鑑み後記の構造概念図に示す考案の姿は２枚羽方式を採用表現する。又、本体をより高く空中に飛び上がらせる為弾性ゴムの伸縮バネ力を活用する方式を活かす事とする。
【考案の効果】
【０００５】  本考案によって成る落下羽根付ＬＥＤ光彩玩具は、主として夕方から夜の時間帯に、ビーチサイドを始め公園や祭りの場に於いて、花火等に比べれば極めて安全且つスポーティーな娯楽を多くの他人を交えて楽しめる場面を演出する事が出来る。
【考案を実施するための最良の形態】
【０００６】  本考案の実施を現実化する第一のポイントは、竹とんぼに発光体を取り付けて、空中からの落下時に動くイルミネーション効果を生み出すと云う様なイメージを組み立て、発光体として最適の小型ＬＥＤライトを組み合わせることにより可能と成る。
本考案を実施するための最良の形態として挙げることが出来る構造の一例は、トンボ本体の滞空時間を長く保つ目的で、出来る限り軽量で加工性良好な材料としてプラスティック素材に的を絞り整形する。そのうえで、すでに［０００４］にて記述が有るように、トンボ本体軸の底部に単色又は点滅の小型ＬＥＤの発光体を取り付ける。尚、発光体部はプッシュ式スイッチが組み込まれた小型電池セットのＬＥＤライトを採用する。
【実施例】
【０００７】  図１は、本考案の実施例鳥瞰図である。この構成機構（姿図）に於いて、符号１のフックは図２の弾性ゴムバンド（符号１）を引掛けるための突起であり、図１の符号２，３，４で構成される発行体が程よい重心安定を保ち、符号７の羽根の回転により浮揚力を高め本体の対空時間を増強する。
【図面の簡単な説明】
【０００８】
【図１】本考案の実施例（本体鳥瞰図）
【図２】本考案の実施例（動力部鳥瞰図）
【符号の説明】    １．突起部
２．電源スイッチ
３．電池収納部
４．ＬＥＤライト
５．軸棒
６．羽根保持部
７．プラ羽根
８．摘み部
【図１】
0003205430.tif 000003
【図２】
0003205430.tif 000004
【手続補正書】
【提出日】平成28年5月8日(2016.5.8)
【手続補正１】
【補正対象書類名】実用新案登録請求の範囲
【補正対象項目名】全文
【補正方法】変更
【補正の内容】
【実用新案登録請求の範囲】
【請求項１】
弾性ゴムの伸縮力を動力源とする竹とんぼ又は羽子板羽根に似た形状の小型飛翔物に、小型軽量のＬＥＤランプを取り付け、落下時のカラフルな光の輝きを発する機能を備える落下羽根付きＬＥＤ光彩玩具。
(57)【要約】      （修正有）【課題】長袖Ｙシャツを着用する職場、水仕事をする場合など、理由や、男女を問わず、袖まくり、腕まくりが面倒なく簡単に出来、ずり落ちることが無く、袖口がスッキリするカフスボタンを提供する。【解決手段】２個の球体を伸縮するゴム状の物でつないだカフスボタンであり、一方の球体を長袖Ｙシャツの袖口ボタン穴に親指で押し込むように通し、もう一方の球体を、もう一方の袖口ボタン穴に同じように通すと、球体と球体は伸縮ゴム状の物で連結されているので、そのまま袖口をまくることが出来、そのまま腕の途中までたくし上げることが出来、そのまま腕まくりも面倒なく簡単に出来る。【選択図】図１
0003205427.tif 000002
【実用新案登録請求の範囲】
【請求項１】
長袖Ｙシャツの袖口のボタン穴を通しやすく、また、抜けにくい２個の球体を伸縮するむゴム状の物でつないだ伸縮することを特徴とするカフスボタン。
【請求項２】
長袖Ｙシャツの袖口のボタン穴を通しやすく、また、抜けにくい物であれば球体にこだわらず、伸縮みすることで腕まくりが簡単に出来る、伸び縮することを特徴とするカフスボタン。
【考案の詳細な説明】
【技術分野】
【０００１】  本考案は、従来に無かった伸縮みするカフスボタンを、長袖Ｙシャツの袖口ボタン穴に使用することで、簡単に袖をまくったり、簡単に腕まくりが出来、Ｙシャツの袖口がスッキリと思い通りになります。
【背景技術】
【０００２】  従来から、長袖Ｙシャツを着用しての体温調整であったり、水仕事をする場合など理由を問わず、長袖Ｙシャツの袖をまくったり、腕まくりをする機会があるが、単純にボタンを外し、袖を折り曲げたり、２回、３回と折り曲げて腕まくりをしたりするだけである。
【考案の概要】
【考案が解決しようとする課題】
【０００３】  長袖Ｙシャツの袖をまくった場合、簡単に元に戻ったり、袖口がダブついたりしますが、元に戻らず、袖口もスッキリします。【０００４】  また、長袖Ｙシャツの袖をたくし上げたとしても、ズリ落ちしないようにします。【０００５】  また、通常は長袖Ｙシャツの袖を２回、３回と折り曲げて腕まくりをしていたが、非常に面倒な腕まくりが簡単に出来ます、さらに、ズリ落ちしません。
【課題を解決するための手段】
【０００６】  本考案のカフスボタンを通常のカフスボタンとして使用する場合は、一方の球体を長袖Ｙシャツの袖口ボタン穴に親指で押し込むように通し、もう一方の袖口ボタン穴に同じように通し、最初に通した袖口ボタン穴の裏側から通することで通常のカフスボタンとして使用できる。【０００７】  課題解決の使用方法は、カフスボタンの一方の球体を長袖Ｙシャツの袖口ボタン穴に親指で押し込むように通し、もう一方の球体部を、もう一方の袖口ボタン穴に同じように通すると、球体と球体は伸縮ゴム状の物で連結されているので、そのまま袖口をまくりことが出来、元に戻ることはない。【０００８】  また、袖口をまくった状態で７センチ程度、腕の途中までたくし上げても、連結された伸縮ゴム状の物でゆるい締め付けがあるので、上下したりせず、ほとんど動くことはない。【０００９】  さらに、袖口をまくった状態で腕の肘までたくし上げると、腕まくりも面倒なく簡単に出来、元に戻ることはない。
【考案の効果】
【００１０】  サラリーマンの方や長袖Ｙシャツを着用する職場、男女問わず、袖まくり、腕まくりが面倒なく簡単に出来るので、うっとうしい袖口がスッキリして、仕事に集中出来ます。【００１１】  また、カフスボタンの色や形、金属や石などの素材にこだわることで、お洒落にも活用出来ます。
【考案を実施するための形態】
【００１２】  カフスボタンは、２個の０．６ｃｍ程度の球体を、太さ０．１ｃｍ程度のゴムひも等で、２．５ｃｍ程度の間で連結する。
【００１３】  安価に出来る素材では、２個の０．６ｃｍ程度のビーズを、太さ０．１ｃｍ程度のゴムひもを通し、抜けないように２．５ｃｍ程度の間で玉縛りすれば出来る。
【００１４】  ０．６ｃｍ程度の球体は、カフスの穴を通り易く、抜けにくいものであれば大きさや形は限定されるものではない。
【００１５】  また、球体に高価な石や金などを使用すると、お洒落に使用できる。
【００１６】  また、球体と球体の連結は、接着したり、金具を使用したり、と様々あるが長さを調整出来るとより良い。
【００１７】  また、太さ０．１ｃｍ程度のゴムひも等も、ゴムのように伸びたり縮んだりするものであれば、素材は限定されない。
【００１８】  また、球体と球体の間は腕の太い細いがあるので、太い・中・細い等のサイズ分けをすると良い。
【図面の簡単な説明】
【００１９】
【図１】  カフスボタンを、ビーズとゴムひもで作成した図。
【図２】  カフスボタンを、通常カフスボタンとして使用した図。
【図３】  カフスボタンを、使用して袖まくりをした図。
【図１】
0003205427.tif 000003
【図２】
0003205427.tif 000004
【図３】
0003205427.tif 000005
【手続補正書】
【提出日】平成28年2月24日(2016.2.24)
【手続補正１】
【補正対象書類名】実用新案登録請求の範囲
【補正対象項目名】全文
【補正方法】変更
【補正の内容】
【実用新案登録請求の範囲】
【請求項１】
長袖Ｙシャツの袖口のボタン穴を通しやすく、また、抜けにくい２個の球体を伸縮するゴム状の物でつないだ伸縮することを特徴とするカフスボタン。
【請求項２】
構造は、２個の球体とゴムひもの組合わせを基本とし、球体の素材は金属やプラスチック等、形は球体や立方体、伸縮する素材で構成され、伸び縮することを特徴とする。
【手続補正書】
【提出日】平成28年4月30日(2016.4.30)
【手続補正１】
【補正対象書類名】実用新案登録請求の範囲
【補正対象項目名】全文
【補正方法】変更
【補正の内容】
【実用新案登録請求の範囲】
【請求項１】
長袖Ｙシャツの袖口のボタン穴を通しやすく、また、抜けにくい２個の球体を伸縮するゴム状の物でつないだ伸縮することを特徴とするカフスボタン。
【請求項２】
構造は、２個の球体とゴムひもの組合わせを基本とし、球体の素材は金属やプラスチックや石を使用して、伸び縮することを特徴とするカフスボタン。
(57)【要約】      （修正有）【課題】裏文字完全解消を図る両面が同一宣伝文字や表面と裏面が違う宣伝文字にも対応が可能な両面活用可能なのぼりを提供する。【解決手段】両面活用可能なのぼりであって、同じのぼりを２枚使用した場合は裏文字側を背中合わせにして縫い合わせられ、１枚ものを使用の場合は中央から２つ折りした時左面右面が正文字になるように印刷し裏文字側を背中合わせに縫い合わせられる、構造を有する。支柱通し１、８と上部には横支え棒通し２、９を設け裏表どちらから見ても正文字に見える構造を持つ。両面活用ということで厚手の生地などを使用しての１枚もので両面印刷したものも含む。支柱通し、横支え棒通しは縫い合わせるものと乳を使用のもの両方を含む。【選択図】図１
0003205426.tif 000002
【実用新案登録請求の範囲】
【請求項１】
のぼりの裏文字完全解消のために、裏表が正文字になるように裏文字側を背中合わせにして縫い合わせた両面活用可能なのぼりである。同じタイプのものを２枚使用した場合は裏文字側を背中合わせに縫い合わせる。１枚ものを使用の場合は中央から２つ折りした時左面右面が正文字になるように印刷し裏文字側を背中あわせに縫い合わせる。両面活用ということで厚手の生地などを使用しての１枚ものの両面印刷物したものをも含むものとします。支柱通し、横支え棒通しは縫うものと乳を使うもの両方を含むものとします。このようにして両面の活用を図ることによって、裏表のどちらから見ても正文字で明確に意思を伝える構造を持った両面活用可能なのぼりとなります。
【考案の詳細な説明】
【技術分野】
【０００１】本実用新案は、のぼりの形状形態に関するものである
【背景技術】
【０００２】従来、のぼりを掲げるとどうしても裏文字は避けられないのが実情でした
【先行技術文献】
【０００３】
【発明概要】
【実用新案が解決しようとする課題】
【０００４】のぼりを掲げると一方から見ると必ず裏文字になってしまう。現在ののぼりの形状形態では解消は図られません。
本発明は、以上の問題点を解決するためになされた両面活用可能のぼりである。
【問題を解決する手段】
【０００５】同じのぼりを２枚使用した場合裏文字側を背中合わせにして縫い合わせ、１枚もの場合は中央部分で２つ折した時左右が正文字になるように印刷し一方を縫い合わせ、支柱通しと上部には横支え棒通しを設け裏表どちらから見ても正文字に見える。以上の構造構成による両面活用可能のぼりである。
【実用新案の効果】
【０００６】支柱通しをさしてのぼりを掲げた時、表裏のどちらから見ても両面が正文字となっている。また組み合わせや印刷の仕方によって裏表が別の宣伝文字もできることから、両面が常に正文字で宣伝の意図が明確に伝わり宣伝効果のアップにつながる。
【図面の簡単な説明】
【０００７】
【図１】２枚を使用した斜視図
【図２】２枚を使用した斜視図
【図３】１枚ものを使用した斜視図
【図４】１枚ものを使用した斜視図
【実用新案を実施するための形態】
【０００８】実用新案を実施するための形態は、表から見ても裏からみても両面が正文字に見えるため、同タイプだけでなく、裏表が違った宣伝文字を使うことも活用可能なのが特長である。同じのぼりを２枚を使用しての場合は裏文字面を背中合わせにして縫い合わせ、１枚もの場合は中央から二つに折りたたんだ時、裏表が正文字になるようにして縫いあわせる。
［図１］について、同タイプや違ったタイプのもの２枚を使用の場合、左辺４と８、右辺５と１１を裏文字面を背中合わせに合わせにし、上辺６と１３、下辺７と１４を縫い合わせる。支柱通し１と８、横支え棒通し２と９をそれぞれ縫い合わせる。
切り込みの３と１０は横支え棒の固定部確保するためのものです。
［図２］について、同タイプや違ったタイプのもの２枚を使用の場合、のぼり裏文字側を背中合わせにして、１左辺２右辺、３上辺、４下辺、５支柱通し、６横支え棒通しのそれぞれを縫い合わせる。
［図３］について、１枚ものを使用した場合、宣伝文字の印刷は左面右面同一または左面と右面が違う場合も対応可能なものです。左面と右面の縦２分の一の部分１３を山折りにして、左辺３と右辺４を、上辺左辺７と上辺右辺８を、下辺左辺９と下辺１０を、支柱通し１と２を、横支え棒通し５と６をそれぞれ縫い合わせる。
切り込み１１と１２は横支え棒の固定部確保するためのものです。
［図４］について、１枚ものを使用の場合、表面の印刷時において左面と右面が同一の宣伝文字印刷や左面と右面が違う宣伝文字印刷にも対応が可能可能なものです。
左辺１、上辺２、下辺３、支柱通し４、横支え棒通し５のそれぞれを裏文字側を中にして縫い合わせる。
【符号の説明】
【０００９】［図１］１支柱通し  ２横支え棒通し  ３横支え棒固定具のための切りこみ
４左辺縦縫い合わせ部  ５右辺縦縫い合わせ部  ６上辺横縫い合わせ部
７下辺横縫い合わせ部  ８支柱通し  ９横支え棒通し
１０横支え棒固定具確保のための切りこみ  １１右辺縦縫い合わせ部
１２左辺縦縫い合わせ部  １３上辺横縫い合わせ部  １４下辺横縫い合わせ部
［図２］１左辺縦縫い合わせ部  ２右辺縦縫い合わせ部  ３上辺横縫い合わせ部
４下辺横縫い合わせ部  ５支柱通し  ６横支え棒通し
７横支え棒固定具確保のための切りこみ
［図３］１左面支柱通し  ２支右面柱通し  ３左面縦縫い合わせ部  ４右面縦縫い
合わせ部  ５差面横支え棒通し  ６右面横支え棒通し  ７左面上辺横縫い
合わせ部  ８右面上辺横縫い合わせ部  ９左面下辺横縫い合わせ部
１０右面下辺横縫い合わせ部  １１左面横支え棒固定具確保のための切りこみ          １２右面横支え棒固定具確保のための切りこみ  １３山折り部
［図４］１左面左辺縦と右面右辺縦との縫い合わせ部  ２左面上辺横と右面上辺横との縫        い合わせ部  ３左面下辺横と右面下辺横との縫い合わせ部
４左面支柱通しと右面支柱通しとの縫い合わせ部
５左面横支え棒通しと右面横支え棒通しとの縫い合わせ部
６左面横支え棒固定具確保のための切りこみと右面横支え棒固定具確保のための        切りこみとの重なる箇所
【図１】
0003205426.tif 000003
【図２】
0003205426.tif 000004
【図３】
0003205426.tif 000005
【図４】
0003205426.tif 000006
【手続補正書】
【提出日】平成28年2月17日(2016.2.17)
【手続補正１】
【補正対象書類名】実用新案登録請求の範囲
【補正対象項目名】全文
【補正方法】変更
【補正の内容】
【実用新案登録請求の範囲】
【請求項１】
裏文字完全解消のために作成における形式形状必要枚数に関係なく両面の活用を図ることが可能である両面活用可能なのぼりである
【手続補正書】
【提出日】平成28年4月28日(2016.4.28)
【手続補正１】
【補正対象書類名】実用新案登録請求の範囲
【補正対象項目名】全文
【補正方法】変更
【補正の内容】
【実用新案登録請求の範囲】
【請求項１】
両面活用可能なのぼりであって、
同じのぼりを２枚使用した場合は裏文字側を背中合わせにして縫い合わせられ、１枚ものを使用の場合は中央から２つ折りした時左面右面が正文字になるように印刷し裏文字側を背中合わせに縫い合わせられる、
構造を有することを特徴とする両面活用可能なのぼり。
(57)【要約】      （修正有）【課題】Ａピラーの一部をアクリル化して、右左折時での視界を確保しＡピラーによる死角を少なくする事で、交通事故の低減を図る自動車を提供する。【解決手段】Ａピラー２の２／３程度をアクリル３とし、強度確保の為アクリル３の上下をビス５で固定し、フロントガラスとは接着剤６で固定し、大幅な前方視界確保の改善を図る。【選択図】図１
0003205429.tif 000002
【実用新案登録請求の範囲】
【請求項１】
Ａピラー（自動車）の一部をアクリル化するで、右左折時での視界を確保しＡピラーによる死角を少なくする事で、交通事故の低減を図る。
【考案の詳細な説明】
【技術分野】
【０００１】  本考案は、自動車のＡピラーで発生している死角の低減を図るものである。
【背景技術】
【０００２】  右左折時での視界の確保を目的とする。
【考案の概要】
【考案が解決しようとする課題】
【０００３】  右左折時に於けるＡピラーによって視界が妨げられる事で、歩行者の発見等が遅れる場合がある。
【課題を解決するための手段】
【０００４】  Ａピラー（自動車）の一部をアクリル化するで、右左折時での視界を確保しＡピラーによる死角を少なくする事で、交通事故の低減を図る。
【考案の効果】
【０００５】  視界確保による、交通事故の低減。
【図面の簡単な説明】
【０００６】
【図１】本考案の概要図
【図２】実施例、案▲１▼正面図
【図３】実施例、案▲１▼断面図
【図４】実施例、案▲２▼正面図
【図５】実施例、案▲２▼断面図
【考案を実施するための形態】
【０００７】  図１にて示す通り、Ａピラーの２／３程度をアクリルにする事で、大幅な前方視界の改善を図る。
【実施例】
【０００８】  案▲１▼  図２、図３にて示す通り、Ａピラーとフロントガラスの間にアクリルを装着する。【０００９】  案▲２▼  図４、図５にて示す通り、フロントガラス自体の幅を広くしガラスにアクリルと貼り付ける。
【符号の説明】
【００１０】  １  車体本体
２  Ａピラー
３  アクリル
４  フロントガラス
５  ビス
６  接着剤
【図１】
0003205429.tif 000003
0003205429.tif 000004
0003205429.tif 000005
【手続補正書】
【提出日】平成28年5月2日(2016.5.2)
【手続補正１】
【補正対象書類名】実用新案登録請求の範囲
【補正対象項目名】全文
【補正方法】変更
【補正の内容】
【実用新案登録請求の範囲】
【請求項１】
一部がアクリル化されたＡピラーを備えた自動車。
【手続補正３】
【補正対象書類名】明細書
【補正対象項目名】０００６
【補正方法】変更
【補正の内容】
【０００６】
【図１】本考案の概要に於ける現状の外観図
【図２】現状からのＡピラーカット図
【図３】図２にてカットした部分へのアクリル装着図
【図４】本考案の実施例、案１正面図
【図５】案１、図４に於ける、Ａ−Ａ線断面図
【図６】本考案の実施例、案２正面図
【図７】案２、図６に於ける、Ｂ−Ｂ線断面図
【手続補正４】
【補正対象書類名】図面
【補正対象項目名】全図
【補正方法】変更
【補正の内容】
【図１】
0003205429.tif 000006
【図２】
0003205429.tif 000007
【図３】
0003205429.tif 000008
【図４】
0003205429.tif 000009
【図５】
0003205429.tif 000010
【図６】
0003205429.tif 000011
【図７】
0003205429.tif 000012
(57)【要約】      （修正有）【課題】パッキン自体にリブ付けを行い、水圧、水撃作用によるパッキン飛び出しによる水漏れを防止するリブ付きフランジパッキンを提供する。【解決手段】本体２と、本体蓋となる天板３との間にボルト４締結で止水するフランジパッキン１であって、本体内部に噛み込ませるリブ部５を備えることによりフランジパッキン１が飛び出し水漏れを起こすことが防止できる。【選択図】図２
0003205425.tif 000002
【実用新案登録請求の範囲】
【請求項１】
自社製品〔セントラル方式浄水システム“光水”ＣＲ−５００ＭＳ〕に使用しているフランジパッキン内側にリブを設けパッキン自体の位置決めを行う。
また、パッキン内側にリブを付ける事により、内圧によるパッキン飛び出し防止が可能となる特徴を持ったリブ付フランジパッキンである。
【考案の詳細な説明】
【技術分野】
【０００１】本考案は、本体及び天板蓋間にセットするパッキン部分にリブを設けたパッキンに関するものである。
【背景技術】
【０００２】カートリッジ交換にてフランジパッキン交換は、天板のボルトのみで締め付けを行った固定をしていた。
【考案の概要】
【考案が解決しようとする課題】
【０００５】フランジパッキン締め付け圧力はボルト部以外の位置はボルト部と同じ圧力で押さえられていない為、内圧によりボルトピッチ間でパッキン飛び出しによる水漏れが発生していた。このパッキン飛び出し防止による水漏れを解決しようとするものである。
【課題を解決するための手段】
【０００６】本考案はフランジパッキン自体にリブを設け、そのリブ部を製品本体内部に噛み込ませる事により、パッキンの位置決めが可能となる。且つボルトピッチ間部の押さえの弱い部分に於いても、リブが製品に密着している為内圧によるパッキン飛び出しが無くなる。リブを付ける事により全周に渡りパッキンの飛び出しが無くなる為、水漏れ防止となる事により問題点を解決する。
【考案の効果】
【０００７】上述の様に、本考案のリブ付フランジパッキンは、本体、蓋の密閉度を上げると共にパッキン自体にリブを設けたので、パッキンの飛び出しの発生が無くなりパッキン飛び出しに伴う水漏れの防止が可能となる。
【図面の簡単な説明】
【０００８】
【図１】本考案、リブ付パッキンの断面図である。
【図２】本リブ付パッキンの取付け状態正面図で有る。
【考案を実施するための形態】
【０００９】リブ付パッキンのリブ部を本体に挿入セットし、受け側フランジのボルト穴にリブ付パッキンのボルト穴を合わせる。
その上部側から天板を取り付ける（ボルト穴を合わせる）。
天板側よりボルトを締め付けていく事により、フランジ部のパッキン及び挿入されたリブ部が本体に密着する事により、取付け精度が上がる事となる。
【実施例】
【００１０】以下、添付図面に従ってー実施例を説明する。１はリブ付に加工されたパッキン本体。２は製品本体。３は天板で２と３の間に１のリブ付パッキンを装着。この状態で４の取付けボルトを締め付ける事により本体２と天板３にてパッキンを締め付け止水作用が生まれると共に、１のリブ部が本体２への密着度が増して来る。すなわち、リブ部５の効果によりパッキンの飛び出しを防止する事が可能となる。
【産業上の利用可能性】
【００１１】フランジ部の締結に於いて、水撃作用の働く部位においては、内圧によるパッキン飛び出し、漏れ等の防止が可能となる。
【符号の説明】
【００１２】１  リブ付フランジパッキン
２  製品本体
３  天板
４  締め付けボルト
５  リブ付パッキンリブ部
【図１】
0003205425.tif 000003
【図２】
0003205425.tif 000004
【手続補正書】
【提出日】平成27年12月17日(2015.12.17)
【手続補正２】
【補正対象書類名】実用新案登録請求の範囲
【補正対象項目名】全文
【補正方法】変更
【補正の内容】
【実用新案登録請求の範囲】
【請求項１】
自社製品［セントラル方式浄水システム“光水”ＣＲ−５０ＣＭＳ］に使用しているフランジパッキン内側にリブを設けパッキン飛び出しによる水漏防止を図るものであり、ＣＲ−５００ＭＳは水道メーターの二次側に設置する製品で、筒型ケーシング内にカートリッジを装着し入水口より入ってきた原水を浄水し宅内に供給する装置で、構造としては本体ケーシング、本体蓋となる天板のツーピースで、この本体ケーシングと蓋との間にフランジパッキンを装着しボルト締結で止水している円型平ゴム形状（外形：φ１４０  内径：φ９１  ＰＣＤ：１２２−８−φ９穴等配ｔ＝３）であるが、水圧、水撃作用によりボルトピッチ間の締結されていない一部分よりフランジパッキンが飛び出し水漏れを起こしている為パッキン内側にリブを付け水圧、水撃作用によるパッキン飛び出しによる水漏れ防止が可能となる特徴を持ったリブ付フランジパッキン。
【手続補正書】
【提出日】平成28年4月29日(2016.4.29)
【手続補正１】
【補正対象書類名】実用新案登録請求の範囲
【補正対象項目名】全文
【補正方法】変更
【補正の内容】
【実用新案登録請求の範囲】
【請求項１】
本体ケーシングと、本体蓋となる天板との間にボルト締結で止水するフランジパッキンであって、本体ケーシング内部に噛み込ませるリブ部を備えることによりフランジパッキンが飛び出し水漏れを起こすことが防止できることを特徴とするリブ付きフランジパッキン。
(57)【要約】【課題】  ハンバーガーを、怪我の心配もなく安全に、しかも形を崩すことなく衛生的な方法で、正確に分割切断できるハンバーガー分割切断具を提供する。【解決手段】  円形のまな板１の上にハンバーガーを載せ、その上に円筒２を被せてまな板ごとハンバーガーを囲い込み、細長い包丁又はナイフ３刃先の先端をハンバーガーに被せた円筒の周囲にある縦長の切れ目４に手前から刺し込み反対側の切れ目から出して刃先をハンバーガー上部にあてがい、押下げながら前後に動かし、刃先がまな板に到達するとハンバーガーが切断される。包丁又はナイフを刺し込む円筒の縦の切れ目の位置を変えてこの切断動作を繰り返すことによりハンバーガーを更に小さく分割切断できる。【選択図】図１
0003205446.tif 000002
【実用新案登録請求の範囲】
【請求項１】
ハンバーガーを、怪我の心配もなく安全に、しかも形を崩すことなく正確に分割切断することを特徴とする切断具であって、円形のまな板と周囲に縦長の切れ目が入った円筒の保護カバーから成り、まな板に載せたハンバーガーに保護カバーを被せ、包丁又はナイフの先端を保護カバー手前の切れ目に刺し込みそのまま反対側の切れ目から出したら、刃先をハンバーガー上部にあてがい、その状態で包丁又はナイフを押下げながら前後に動かし、保護カバーの縦の切れ目に沿ってまな板まで到達させてハンバーガーを切断するハンバーガー分割切断具。
【請求項２】
保護カバーは、周囲に包丁又はナイフを通す縦の切れ目が入っており、切れ目は包丁又はナイフを通す幅で、長さは円筒の両端から同じ長さを残した状態で、一つの切れ目を起点に中心角が６０度、９０度、１２０度、１８０度、２４０度、２７０度及び３００度の位置に、合計８箇所あることを特徴とする請求項１に記載するハンバーガー分割切断具。
【請求項３】
まな板は、包丁又はナイフでハンバーガーを切り下げても、包丁又はナイフの刃先が保護カバーの周囲に入っている切れ目の端に接触しないように、保護カバーの縦の切れ目の端よりも上部に少し高く調整した厚みであることを特徴とする請求項１に記載するハンバーガー分割切断具。
【考案の詳細な説明】
【技術分野】
【０００１】  本考案は、ハンバーガーを等分に切断するハンバーガー分割切断具に関するものである。
【背景技術】
【０００２】  ハンバーガー店舗では、通常、ハンバーガーが１個丸ごと包装紙に包まれた状態で販売されている。近年、バンズに挟む食材の種類が多様化した上、量も増え、またバンズそのものも大きくなり、従来のものと比較し飛躍的にボリュームアップしている。
【考案の概要】
【考案が解決しようとする課題】
【０００３】  １個のハンバーガーを二人以上で分割して食べたい場合、又、例えば小さい子供には１個丸ごとではなく、小さく分割して食べさせたい場合がある。しかし、店舗又は家庭で通常の包丁或はナイフ等の刃物でそのまま分割しようとすると、切断時にバンズに挟まれている肉類や野菜類等がこぼれ落ちてしまうことがあり、更に、刃物で手に怪我をする恐れもある。一方、店員がお客の要望に応じて都度ハンバーガーを分割するのでは大変煩雑である。そこで、本考案は、安全に使用できて、しかもハンバーガーの形を崩すことなく要望の数に分割出来るハンバーガー分割切断具により課題を解決するものである。
【課題を解決するための手段】
【０００４】  本考案は、円形のまな板と、円筒の周囲に縦の切れ目が入った保護カバーから成る。保護カバー円筒周囲の縦の切れ目は、ハンバーガー切断の際、包丁又はナイフを手前から反対側に通すためのものであり、２、４、６分割出来るよう８箇所入っている。まな板にハンバーガーを載せ、まな板ごと上から保護カバーを被せて囲い込み、包丁又はナイフ刃先の先端を保護カバー手前の切れ目から反対側の切れ目に通し、包丁又はナイフを押下げながら前後に動かし、保護カバーの縦の切れ目に沿ってまな板まで到達させるとハンバーガーが切断される。２分割切断の場合は１回の切断動作、４分割の場合は１回目の切断動作後、包丁又はナイフ刃先の先端を中心角９０度変えた位置で切れ目に通し、２回目の切断動作を行う。６分割の場合は包丁又はナイフ刃先の先端を通す位置を中心角６０度変ながら３回の切断動作を行う。切断動作を保護カバー上部から内部が見える円筒の中で行うため、安全でしかも形を崩すことなく衛生的に行うことが出来る。
【図面の簡単な説明】
【０００５】
【図１】本考案の一実施形態を示す斜視図である。
【図２】本考案の各部組図である。
【図３】保護カバーの正面図である。
【図４】保護カバーの平面図である。
【図５】まな板の正面図である。
【図６】まな板の平面図である。
【図１】
0003205446.tif 000003
【図２】
0003205446.tif 000004
【図３】
0003205446.tif 000005
【図４】
0003205446.tif 000006
【図５】
0003205446.tif 000007
【図６】
0003205446.tif 000008
(57)【要約】      （修正有）【課題】生花をずれ動くことなく安定して支える一輪挿し乃至五輪挿し用のフラワーベースを提供する。【解決手段】首長花瓶形をしたフラワーベース１の上端口２に花びら形に広がる五輪の支え凹み３を設け、コップ形，球体形のフラワーベースは上部の一輪乃至五輪挿し用の５個の小穴を設けて課題を解決する。【選択図】図１
0003205479.tif 000002
【実用新案登録請求の範囲】
【請求項１】
首長花瓶形，蓋とコップの一体形，蓋被せコップ形，球体形のいずれかにてフラワーベースを形成し、このフラワーベースの上部に五輪の花びら形に広がる支え凹みまたは５個の小穴のいずれかを設けたことを特徴とする一輪乃至五輪挿しのフラワーベース。
【考案の詳細な説明】
【技術分野】
【０００１】
本考案は、一輪乃至五輪挿しのフラワーベースに関するものある。
【背景技術】
【０００２】
この種のフラワーベースとして実用新案登録第３０４７４０４号公報がある。この公報はフラワーベースの内底と側部の内面に生花の茎の支持穴と凹部を設けて生花の立て挿しを支持すようにしたことを記載している。
【特許文献１】実用新案登録第３３０４７４０４号公報
【考案の開示】
【考案が解決しようとする課題】
【０００３】
しかしながら、上記の公報はフラワーベースを特定の形状にしていて、形状を多様とする構成に欠けているという課題がある。
しかも生花の茎をフラワーベースの内底と側部にて支持する構成によって、生花と茎の上部は左右前後にずれ動くという課題がある。
【課題を解決するための手段】
【０００４】
本考案は、フラワーベースを一輪乃至五輪挿しの多様な形状にて形成し、首長形のフラワーベースは上端口に五輪に分け広がる花びら形の円曲した支え凹みを設け、コップ形，球体形のフラワーベースは上部に一輪挿し乃至五輪挿し用の小穴を設けて、フラワーベースを多様な形状とし、活花の花の茎の中間を五輪に広がる花びら形の支え凹み、または小穴にて支えるようにして上記の課題を解決する。
【考案の効果】
【０００５】
本考案は、一輪乃至五輪挿しができるフラワーベースを提供するという効果を生ずる。
【０００６】
活花の茎を上端の五輪分けした円曲凹みと小穴にて支持するので、前後左右にずれ動くことがないという効果を生ずる。
【０００７】
フラワーベースを首長形，コップ形，球体形等の多様な形状にて形成することができるという効果を生ずる。
【図面の簡単な説明】
【０００８】
【図１】首長形をしたフラワーベースの１例を示す斜視図
【図２】第２実施例のコップ形をしたフラワーベースの１例を示す斜視図
【図３】同、蓋被せコップ形をしたフラワーベースの１例を示す斜視図
【図４】同、球体形をしたフラワーベースの１例を示す斜視図
【符号の説明】
【０００９】
１はフラワーベース
２は上部口
３は円曲支え凹み
４は生花
４ａは茎
５は蓋
６はコップ
７は小穴
８は支持台
９は球体
【考案を実施するための最良の形態】
【００１０】
本考案は、首長花瓶形，蓋とコップの一体形，蓋被せコップ形，球体形等の多種多様な形状にてフラワーベースを形成し、これらのフラワーベースの上部に一輪乃至五輪挿し用の花びら形の支え凹みまたは一輪乃至五輪挿し用の小穴を設けてなる。
【実施例１】
【００１１】
図１は本考案の第１実施例であって、首長花瓶形のフラワーベース１を形成し、その上端口２に花びら形に広がる一輪乃至五輪挿し用に五輪分けした支え凹み３を設けて、一輪乃至五輪の生花４を挿し立てる際に茎４ａの中間を支え凹み３にて個別に支えるようにする。茎４ａの下端はフラワーベース１の内底面に当たり支えられることになる。
【実施例２】
【００１２】
図２は本考案の第２実施例で、蓋５部分とコップ６の一体形にてフラワーベース１を形成し、蓋５に一輪乃至五輪挿しができる小穴７を５個設けて、挿し立てる生花４の茎４ａを各個の小穴７にて支えるようにする。
【００１３】
図３はコップ６と蓋５を分けて蓋被せ形としたもので、蓋５に一輪乃至五輪挿し用の５個の小穴７を設けて、挿し活けする生花４の茎４ａを各小穴７にて支え、蓋５を外すことでコップ６形をしたフラワーベース１内を洗浄しやすくしている。
【００１４】
図４は扁平な支持台となる底板８上に中空の球体９を一体に載着した球体形のフラワーベース１を形成し、その上部に一輪乃至五輪挿しができる５個の小穴７を設けたものである。
【００１５】
各実施例はいずれも生花４の茎４ａをフラワーベース１の上端を含む上部にて支えるので生花４の前後左右へのずれ動きなどが生じないものとなる。
【産業上の利用可能性】
【００１６】
本考案は、生花の一輪乃至五輪挿しを可能にして、しかも茎をフラワーベースの上部にてずれ動かないように支持することで広く利用されるものである。
【図１】
0003205479.tif 000003
【図２】
0003205479.tif 000004
【図３】
0003205479.tif 000005
【図４】
0003205479.tif 000006
(57)【要約】      （修正有）【課題】厚手の紙又はプラスチックシートを打抜き加工し形成された部材を、使用者自身が組み立てる組立式のうちわを提供する。【解決手段】打抜き加工された厚手の紙又はプラスチックシートには、ミシン目及び切り込みが形成されており、道具を使用することなく容易に２枚の部材Ａ、Ｂに切り離し、その２枚の部材を重ね切り込みＣに差し込み片Ｄを差し込むことにより、結合部分を支点として擦り合わせるように開閉可能なうちわとなる。組立式とすることにより製造コストを抑え、より短納期にて利便性に優れた開閉機能を持つうちわを提供することができる。【選択図】図２
0003205472.tif 000002
【実用新案登録請求の範囲】
【請求項１】
打抜き加工が施された１枚の厚手の紙又はプラスチックシートに形成されたミシン目Gを切り離すことにより、部材Aと部材Bが形成され、部材Aの上に部材Bを重ね、部材Aの下部に形成された円形の切り込みCに、部材Bに形成された差し込み片Dを差し込むことにより、２枚の部材が結合され、擦り合わせるように左右に開閉することを特長とする組立式開閉うちわ。
【考案の詳細な説明】
【技術分野】
【０００１】
本考案は重ねあわせて収納できる組立式のうちわに関するものである。
【背景技術】
【０００２】
複数数のシート状の部材を重ねあわせ、下部をハトメ等で固定し使用時には開き、しまう時には閉じる開閉機能を備えたうちわや扇子は従来からあるが、その多くが組み立て加工済みの状態にて提供されている。
【考案の概要】
【考案が解決しようとする課題】
【０００３】
従来の折りたたみ式及び開閉式のうちわや扇子は、通常組み立てに関わる費用及びハト目等の部材の費用等が必要となる他、納期も相応にかかるため、イベント会場等で不特定多数に無償提供するノベルティグッズとしての用途に於いて限界があった。
【課題を解決するための手段】
【０００４】
本考案は、1枚の厚紙又はプラスチックシートのみを使用し、その他の部材や道具等を使用せず組み立てることができるのが特長である。図１に示す通り１枚の厚紙又はプラスチックシートに打抜き加工を施し、中央部にはミシン目加工が施され、不要な余白部分はあらじめ取り除かれているため、組み立て時にゴミが出ない。ミシン目を切り離すと2枚のシート状の部材が形成される。片方の部材の下部には、もう一方の部材の下部に形成された差し込み片を差し込むための円形の切り込みが形成される。それらを差し込むと通常の使用では抜けない構造となっており、切り込みを支点に差し込んだ部材が左右に可動する構造となる。扇ぐ時は開いて使用し、使い終えたら擦り合わせるように閉じて収納することができる。
ノベルティとして使用者が手にするのは打抜きされた１枚のシートのみであり、組み立てる際に切り離すことで２枚になる構造とし、さらに結合するためにその他の部材を使用しないため、製造コストを抑制できる他、より短納期にて利便性に優れた組立式開閉機能を持つうちわの提供が可能となる。
【考案の効果】
【０００５】
本考案では、利便性に優れた開閉機能を持つうちわを組立式とすることで、組み立て済みの物を提供する場合に比べより安価に早く提供できるため、ノベルティグッズとしての利用価値を高める効果が期待できる。
【図面の簡単な説明】
【０００６】
【図１】シート状の組立式開閉うちわを示す図
【図２】本考案を組み立てる際に部材を２枚に切り離した状態を示す図
【図３】切り離した２枚の部材を組み立てた状態を示す図
【図４】本考案のうちわを使用する時の形態を示す図
【図５】本考案のうちわを収納する時の形態を示す図
【考案を実施するための形態】
【０００７】
以下、本考案の形態を図に基づいて説明する。
【実施例】
【０００８】
本考案の開閉機能を備えた組立式うちわの実施例である図1は、打抜き加工された1枚の厚紙又はプラスチックシートである。ノベルティとして配布する場合や販売する場合には、この形状にて提供され、使用者自身が組み立てる組立式のうちわを想定している。その厚紙又はプラスチックシートにはミシン目Gが形成されており、図２の示す通り、切り離すと部材A 及び部材Bが形成される。部材Aの下部には、円形の切り込みCが形成されており、図３の示す通り部材Aの上に部材Bを重ね、円形の切り込みCに部材Bの下部に形成された差し込み片Dを差し込むことにより、切り込みCを支点として左右に擦り合わせるように開閉できる構造となる。差し込み片Dは切り込みCのよりも大きく形成されており、一度差し込むと通常の使用においては外れることは無い。
円形の切り込みCの両端の位置は、部材Bが左右に開閉する際に行き過ぎる事無く、最適な位置で止まるように設計されている。
使用する際には、図４の示す通り、部材Aに形成された切り込みEに、部材Bに形成された切り込みFを差し込み２枚の部材を固定することにより扇ぐことができる。収納時には図５の示す通り、切り込みEから切り込みFを外し、切り込みCを支点に擦り合わせるようにスライドさせ、部材Bが部材Aからはみ出さないように重ね合わせる。
【符号の説明】
【０００９】
A  部材
B  部材
C  切り込み
D  差し込み片
E  切り込み
F  切り込み
G  ミシン目
【図１】
0003205472.tif 000003
【図２】
0003205472.tif 000004
【図３】
0003205472.tif 000005
【図４】
0003205472.tif 000006
【図５】
0003205472.tif 000007